(57)【要約】【課題】例えば、１日毎にドライバの運転診断を行う場合、１日の間に運転を開始して終了するまでが完全に含まれるトリップは問題ないが、２日間に跨って運転が継続するようなトリップのデータに対して、どちらの日のデータとして管理するかといった問題が生じる。このとき、トリップを、３月３日の分と、３月４日の分との２つに分断することは、トリップが一連の運転期間であることから好ましくない。【解決手段】記憶部１３は、３月３日に運転が開始され、３月４日に終了したトリップにおける車両の走行履歴情報（トリップデータ）を、トリップが開始された３月３日のデータとして記憶する。３月３日のデータとしては、既にトリップ１、及び、トリップ２のトリップデータが記憶されているので、そのデータにトリップ３のトリップデータの情報を付加して記憶する。【選択図】図３
2011008769.tif 000002
【特許請求の範囲】
【請求項１】
運転が開始されてから終了されるまでをトリップとし、該トリップにおける車両の走行履歴情報を記憶する記憶手段と、
前記記憶手段に記憶される走行履歴情報の内、所定期間に一部が含まれるトリップにおける走行履歴情報を、前記所定期間における走行履歴情報として割り当てるか否かを判定する判定手段と、
前記判定手段により前記所定期間における走行履歴情報として割り当てると判定された走行履歴情報を用いて、前記所定期間におけるドライバの運転を診断する運転診断手段とを備える運転診断装置。
【請求項２】
請求項１に記載の運転診断装置において、
前記判定手段は、前記所定期間内に運転された時間が、前記所定期間外に運転された時間より長いトリップにおける走行履歴情報を、前記所定期間における走行履歴情報として割り当てると判定することを特徴とする運転診断装置。
【請求項３】
請求項１に記載の運転診断装置において、
前記判定手段は、前記所定期間内に運転された走行距離が、前記所定期間外に運転された走行距離より長いトリップにおける走行履歴情報を、前記所定期間における走行履歴情報として割り当てると判定することを特徴とする運転診断装置。
【請求項４】
請求項１に記載の運転診断装置において、
前記判定手段は、前記所定期間内に運転が開始されたトリップにおける走行履歴情報を、前記所定期間における走行履歴情報として割り当てると判定することを特徴とする運転診断装置。
【請求項５】
請求項１〜４のいずれか１項において、
前記所定期間は、１日、１週間、１ヶ月、及び１年のうちのいずれかであって、
前記所定期間として、１日、１週間、１ヶ月、及び１年のうちのいずれかを選択するユーザからの入力を受け付ける所定期間単位選択受け付け手段を備え、
前記所定期間単位選択受け付け手段で受け付けた入力に応じて、前記所定期間として、１日、１週間、１ヶ月、及び１年のうちのいずれかを設定することを特徴とする運転診断装置。
【請求項６】
請求項１〜５のいずれか１項において、
前記車両は、ナビゲーション装置を搭載するものであって、
前記車両が運転を開始してから前記ナビゲーション装置で設定された目的地に到着するまでを前記トリップとし、該トリップにおける前記走行履歴情報を前記記憶手段に記憶することを特徴とする運転診断装置。
【請求項７】
請求項１〜５のいずれか１項において、
前記車両のイグニッションスイッチがオンとなってからオフとなるまでを前記トリップとし、該トリップにおける前記走行履歴情報を前記記憶手段に記憶することを特徴とする運転診断装置。
【請求項８】
請求項１〜５のいずれか１項において、
前記車両の走行用エネルギーの補給を行ってから次に該走行用エネルギーの補給を行うまでを前記トリップとし、該トリップにおける前記走行履歴情報を前記記憶手段に記憶することを特徴とする運転診断装置。
【請求項９】
請求項１〜５のいずれか１項において、
前記車両は、ナビゲーション装置を搭載するものであって、
前記車両が前記ナビゲーション装置で設定された出発地を出発してから前記ナビゲーション装置で設定された目的地に到着するまでを前記トリップとする第１トリップ、前記車両のイグニッションスイッチがオンとなってからオフとなるまでを前記トリップとする第２トリップ、及び前記車両の走行用エネルギーの補給を行ってから次に該走行用エネルギーの補給を行うまでを前記トリップとする第３トリップのうちのいずれかの種類のトリップを選択するユーザからの入力を受け付けるトリップ種類選択受け付け手段を備え、
前記運転診断手段は、前記トリップ種類選択受け付け手段で受け付けた入力に応じた種類のトリップにおける前記走行履歴情報を用いて、所定期間におけるドライバの運転を診断することを特徴とする運転診断装置。
【請求項１０】
請求項１〜９のいずれか１項において、
前記運転診断手段は、前記所定期間における前記ドライバの運転として、前記所定期間における前記車両の走行用エネルギーの消費効率を診断することを特徴とする運転診断装置。
【請求項１１】
請求項１〜９のいずれか１項において、
前記運転診断手段は、前記所定期間における前記ドライバの運転として、前記所定期間における前記ドライバの運転の安全度を診断することを特徴とする運転診断装置。
【発明の詳細な説明】
【技術分野】
【０００１】
本発明は、車両に搭載された各種センサから情報を取得し、その情報に基づいてドライバの運転を診断する運転診断装置に関する。
【背景技術】
【０００２】
１リットルの燃料でどれだけの距離を走行できるかといった燃費情報をドライバに提示することで、ドライバは燃費を意識して運転をすることができる。燃費には、運転時におけるドライバの体調や気分、急ぎ具合等に依存するドライバの運転操作や、エンジンの調子やタイヤの空気圧といった車両状態が影響する。燃費の良い運転は、単にユーザに燃料費を節約させるだけでなく、地球の環境にとっても好ましいというメリットがある。
【０００３】
そこで、近年では、ドライバが運転する車両の燃費を車室内にて表示させる機能が知られている。この燃費の表示には、走行中の瞬間における燃費を表示させる瞬間燃費の表示と、ある走行区間の燃費の平均を計算して表示させる平均燃費の表示とがあった。例えば、特許文献１には、ドライバが運転を開始してから終了するまでの運転であるトリップを一連の運転単位とし、そのトリップ毎の平均燃費の情報を表示させる技術が記載されている。
【先行技術文献】
【特許文献】
【０００４】
【特許文献１】特許第３８９３８７９号公報
【発明の概要】
【発明が解決しようとする課題】
【０００５】
ドライバの運転操作や車両状態は、時々刻々と変化するものであり、その日のドライバの体調や、気温や天候といった気候等にも依存する。例えば、１日毎であったり、１月毎であったり、１年毎であったり、また、１トリップ毎であったりと、様々な単位毎に変化する。特許文献１の技術では、トリップ毎のドライバの運転する車両の燃費情報を表示させるが、例えば、１日毎の燃費情報をユーザが要求することもある。
【０００６】
しかしながら、このとき、１日の間に、運転開始から終了までの運転時間が完全に含まれるトリップは問題ないが、２日間に渡って運転時間が継続するようなトリップのデータに対して、どのように対処するかといった問題が生じる。例えば、３月４日の０時を跨ぐ運転を行った場合である。このとき、トリップを、３月３日の分と、３月４日の分との２つに分断することは、トリップが運転が開始されてから終了されるまでを単位とする一連の運転期間であることから好ましくない。
【０００７】
そこで、本発明はこのような課題に鑑みてなされたものであり、所定期間におけるドライバの運転診断を、一連の運転期間であるトリップを分断することなく、実行する運転診断装置を提供することを目的とする。
【課題を解決するための手段】
【０００８】
上記課題を解決するために、請求項１に記載の運転診断装置は、記憶手段にて、運転が開始されてから終了されるまでをトリップとし、このトリップにおける車両の走行履歴情報を記憶し、判定手段にて、記憶手段に記憶される走行履歴情報の内、所定期間に一部が含まれるトリップにおける走行履歴情報を、所定期間における走行履歴情報として割り当てるか否かを判定し、運転診断手段にて、判定手段により所定期間における走行履歴情報として割り当てると判定された走行履歴情報を用いて、所定期間におけるドライバの運転を診断することを特徴とする。従って、例えば、運転が開始されてから終了されるまでの一連の運転期間であるトリップにおける走行履歴情報が、２つに分断されてドライバの運転診断に利用されることはない。これにより、所定期間における運転診断において、トリップにおける走行履歴情報を適切に反映して運転診断することが可能である。
【０００９】
請求項２に記載の運転診断装置は、判定手段にて、所定期間内に運転された時間が、所定期間外に運転された時間より長いトリップにおける走行履歴情報を、所定期間における走行履歴情報として割り当てると判定することを特徴とする。一方、請求項３に記載の運転診断装置は、判定手段にて、所定期間内に運転された走行距離が、所定期間外に運転された走行距離より長いトリップにおける走行履歴情報を、所定期間における走行履歴情報として割り当てると判定することを特徴とする。これらにより、運転の特徴が現れる可能性が高いトリップに対しては、所定期間における走行履歴情報として反映させて運転診断することが可能である。
【００１０】
請求項４に記載の運転診断装置は、判定手段にて、所定期間内に運転が開始されたトリップにおける走行履歴情報を、所定期間における走行履歴情報として割り当てると判定することを特徴とする。これにより、処理を迅速化して請求項１と同様の効果を得ることができる。
【００１１】
請求項５に記載の運転診断装置は、所定期間が、１日、１週間、１ヶ月、及び１年のうちのいずれかであって、所定期間として、１日、１週間、１ヶ月、及び１年のうちのいずれかを選択するユーザからの入力を受け付ける所定期間単位選択受け付け手段を備え、所定期間単位選択受け付け手段で受け付けた入力に応じて、所定期間として、１日、１週間、１ヶ月、及び１年のうちのいずれかを設定することを特徴とする。
【００１２】
これにより、所定期間を人間生活における時間の一般的な単位（１日、１週間、１ヶ月、１年）で区切ることで、人間生活に合わせた診断をすることができる。また、所定期間を人間生活の合わせた区切りとすることで、今日は昨日よりも良い結果を出そう、今月は先月よりも良い結果を出そうと、ユーザの診断結果に対する向上意欲を促すことができる。さらに、他人の診断結果と比較する際にも、所定期間の区切りとして人間生活における時間の一般的な単位を用いるので、より比較しやすくなる。
【００１３】
請求項６に記載の運転診断装置は、車両が、ナビゲーション装置を搭載するものであって、車両がナビゲーション装置で設定された出発地を出発してからナビゲーション装置で設定された目的地に到着するまでをトリップとし、該トリップにおける走行履歴情報を記憶手段に記憶することを特徴とする。
【００１４】
目的地に到着後に駐車場を探したり、駐車に手間取ったりしていると、運転の診断結果が悪くなってしまう場合がある。一例としては、燃費や電費といった走行用エネルギーの消費効率の診断の場合には、駐車場を探したり、駐車に手間取ったりすることによって、低速の走行時間が増えたり、ブレーキ操作が頻繁となったりすることで走行用エネルギーの消費効率が悪くなり、診断結果が悪くなってしまう。このように、目的地に到着後の状況によって診断結果が変わってしまう場合には、同じ経路についての走行であっても、お互いの運転の正確な比較ができなくなってしまう。例えば、目的地に到着するまでの走行における運転が前回の同一経路の走行における運転よりも良い診断内容だったとしても、目的地に到着後に駐車場所を探すことで、前回の同一経路の走行における運転よりも診断結果自体は悪くなってしまい、運転の診断の趣旨に合わないことになる。
【００１５】
これに対して、請求項６の構成によれば、出発地を出発してから目的地に到着するまでをトリップとするので、目的地に到着後の状況の影響を受けずに、出発地を出発してから目的地に到着するまでの運転の診断を行うことができる。
【００１６】
請求項７に記載の運転診断装置は、車両のイグニッションスイッチがオンとなってからオフとなるまでをトリップとし、該トリップにおける走行履歴情報を記憶手段に記憶することを特徴とする。これにより、実際に車両のエンジンや電動機等の駆動源が作動している間を診断の対象とすることで運転内容を漏れなく診断できる。
【００１７】
請求項８に記載の運転診断装置は、車両の走行用エネルギーの補給を行ってから次に該走行用エネルギーの補給を行うまでをトリップとし、該トリップにおける走行履歴情報を記憶手段に記憶することを特徴とする。給油や走行用バッテリの充電等の走行用エネルギーの補給は車両を停車するパターンのうちの１つであり、走行用エネルギーの補給時を境にして車両の運転者が変わる可能性もあることから、運転が開始されてから終了されるまでの1つの区切りとして考えられる。
【００１８】
請求項９に記載の運転診断装置は、車両は、ナビゲーション装置を搭載するものであって、車両がナビゲーション装置で設定された出発地を出発してからナビゲーション装置で設定された目的地に到着するまでをトリップとする第１トリップ、車両のイグニッションスイッチがオンとなってからオフとなるまでをトリップとする第２トリップ、及び車両の走行用エネルギーの補給を行ってから次に該走行用エネルギーの補給を行うまでをトリップとする第３トリップのうちのいずれかの種類のトリップを選択するユーザからの入力を受け付けるトリップ種類選択受け付け手段を備え、運転診断手段は、トリップ種類選択受け付け手段で受け付けた入力に応じた種類のトリップにおける走行履歴情報を用いて、所定期間におけるドライバの運転を診断することを特徴とする。
【００１９】
これにより、運転の診断を行うトリップの区切りをユーザが選択する幅を与えることができるので、トリップの区切りについてのユーザの幅のある要求に応えることができ、利便性が向上する。また、利便性が向上することによって、運転の診断を実施するユーザが増え、この診断結果をもとに運転が改善されれば、より良い車社会の構築につながる。
【００２０】
請求項１０に記載の運転診断装置は、運転診断手段は、所定期間におけるドライバの運転として、所定期間における車両の走行用エネルギーの消費効率を診断することを特徴とする。燃費や電費などの走行用エネルギーの消費効率は、最もわかりやすいエコノミー・エコロジー（エコ）運転の指標である。よって、以上の構成によれば、診断結果を環境への負荷軽減とユーザのコスト低減とに役立てることができる。
【００２１】
請求項１１に記載の運転診断装置は、運転診断手段は、所定期間におけるドライバの運転として、所定期間におけるドライバの運転の安全度を診断することを特徴とする。これによれば、診断結果を安全運転に役立てることができる。また、安全運転をするユーザが増えることで、車両を持たない方の支持も得られ、より良い車社会を実現できる。
【図面の簡単な説明】
【００２２】
【図１】本実施例における運転診断システムの全体構成を示すブロック図である。
【図２】本実施例におけるトリップデータの具体例を示した説明図である。
【図３】本実施例において、３月３日（１日間）に運転されたトリップを示した説明図である。
【図４】本実施例において、３月３日に記憶されているデータ（ａ）に、新たにトリップデータが付加され更新された場合のデータ（ｂ）を示した説明図である。
【図５】本実施例における運転診断結果の表示の具体例である。
【図６】本実施例における携帯電話の制御部にて実行される処理を示すフローチャートである。
【図７】本実施例における運転診断装置の制御部にて実行される処理を示すフローチャートである。
【図８】本実施例における変形例１の作動を示す説明図である。
【図９】運転診断内容の設定の処理のフローの一例を示すフローチャートである。
【発明を実施するための形態】
【００２３】
以下に本発明の実施例について図面を用いて説明する。本実施例では、本発明の運転診断装置を車両用の運転診断システムに適用した例について説明する。本実施例においては、本発明における所定期間を１日としてドライバの運転を診断するため、１日単位での診断結果をユーザは要求することが可能である。また、本発明は、下記の実施例に限定されることなく、本発明の技術的範囲に存在する限り、様々な形態を取り得る。
【実施例】
【００２４】
図１は本実施例の運転診断システムの全体構成を示すブロック図である。本実施例の運転診断システムは、運転診断装置１と、携帯電話２とによって構成されている。
【００２５】
まず、携帯電話２の構成について説明する。携帯電話２は、通信装置２１と、操作スイッチ群２２と、表示部２３と、制御部２４とから構成される。
【００２６】
通信装置２１は、送信装置、受信装置を含む通信機器であり、運転診断装置１との間で情報の送受信を行う。通信装置２１から送信される情報としては、通信の開始、及び終了を要求する情報、ドライバの運転の診断を運転診断装置１に要求する診断要求情報、携帯電話２が保持する日時情報等がある。また、通信装置２１が受信する情報としては、ドライバの運転診断結果情報等がある。なお、通信は近距離無線通信を利用して行われるものであり、具体的には、ブルートゥース（Ｂｌｕｅｔｏｏｔｈ）（登録商標）を利用する。
【００２７】
操作スイッチ群２２には、表示部２３の周囲に設けられた釦スイッチ等が用いられる。ユーザは操作スイッチ群２２を介して、ユーザは所望の期間における運転の診断結果を要求する入力等を行う。ユーザが所望する期間は１日を最小単位として、１週間、１ヶ月、１年といった診断期間を設定することができる。
【００２８】
表示部２３は、カラー表示可能な液晶ディスプレイからなる。ユーザにより操作スイッチ群２２を介して入力された情報や、通信装置２１を介して運転診断装置１から受信した情報等、様々な情報を表示する。
【００２９】
制御部２４は、ＣＰＵ、ＲＯＭ、ＲＡＭ、Ｉ／Ｏ及びこれらの構成を接続するバスラインなどからなる周知のマイクロコンピュータを中心に構成されている。そして、ＲＯＭ等に記憶されたプログラムに基づいて、ユーザにより入力された情報や、通信装置２１を介して受信した情報等を表示部２３に表示させる情報表示処理や、通信装置２１において運転診断装置１とのデータの送受信を実行させる通信処理等を行う。
【００３０】
次に、運転診断装置１の構成について説明する。運転診断装置１は、通信装置１１と、ＣＡＮトランシーバ１２と、記憶部１３と、カウンタ１４と、制御部１５とから構成される。また、ＣＡＮトランシーバ１２には、ＣＡＮ（Ｃｏｎｔｒｏｌｌｅｒ  Ａｒｅａ  Ｎｅｔｗｏｒｋ）１６から得られる情報が提供される。
【００３１】
通信装置１１は、送信装置、受信装置を含む通信機器であり、携帯電話２との間で情報の送受信を行う。なお、通信は近距離無線通信を利用して行われるものであり、具体的には、ブルートゥース（Ｂｌｕｅｔｏｏｔｈ）（登録商標）を利用する。
【００３２】
ＣＡＮトランシーバ１２は、車両内のネットワーク通信網であるＣＡＮ１６から様々な情報を取得する。ＣＡＮ１６においては、例えば、車両の駆動を制御するためにエンジン回転数を検出するエンジン回転数センサ、消費燃料を検出する消費燃料センサ、車速度を検出する速度センサ、車両の加速度を検出する加速度センサ、車両の角速度を検出する角速度センサ、車輪回転数から運転距離を検出する運転距離センサ、イグニッションスイッチ等から得られる情報が通信される。イグニッションスイッチは、車両の駆動源をオン・オフさせるスイッチである。
【００３３】
記憶部１３は、トリップが終了した際に、ドライバが運転した車両の走行履歴情報（トリップデータ）を、トリップが開始された日のデータとして記憶する。トリップは、イグニッションスイッチがオンされてからオフされるまでを単位とする運転期間である。トリップデータは、図２に示すように、例えば、トリップにおける開始日時、終了日時、運転時間、運転距離、消費燃料や、急アクセル、急ブレーキ、急ハンドルの回数等が含まれる。運転時間は開始日時、終了日時から算出可能である。運転距離、消費燃料、急ブレーキ等の回数は、ＣＡＮトランシーバ１２を介して取得する情報から算出可能である。急ブレーキ、急アクセル、急ハンドルの回数は、それぞれ、車両の負の加速度、車両の正の加速度、車両の角速度が所定の閾値を越えた場合を１回として検出される。
【００３４】
また、例えば、図３（ａ）に示すように、トリップ３の運転が開始された日に、既に他のトリップにおけるデータが記憶されている場合には、図３（ｂ）に示すように、既に記憶されているデータに今回のトリップのトリップデータを付加して記憶する。具体的に説明すると、例えば、３月３日には既にトリップ１と、トリップ２が運転されているとする。この場合、図４（ａ）に示すように、３月３日のデータとしては、トリップ１のトリップデータに、トリップ２のトリップデータが付加されたデータが既に記憶されている。トリップ３の運転が終了した際に、トリップ３のトリップデータを、トリップが開始された日のデータとして記憶されるとした場合には、図４（ｂ）に示すように、３月３日のデータにトリップ３のトリップデータが付加されたデータが新たに３月３日のデータとして記憶される。
【００３５】
カウンタ１４は、通信装置１１を介して携帯電話２から受信した日時情報から得られた時刻を基準時刻として、時刻をカウントする。記憶部１３は、その時刻に基づいて、トリップの開始日時、終了日時を記憶する。なお、基準時刻は、通信装置１１を介して携帯電話２から日時情報を受信するタイミングで、その時刻に基づき補正される。
【００３６】
制御部１５は、ＣＰＵ、ＲＯＭ、ＲＡＭ、Ｉ／Ｏ及びこれらの構成を接続するバスラインなどからなる周知のマイクロコンピュータを中心に構成されている。そして、ＲＯＭ等に記憶されたプログラムに基づいて、通信装置１１において携帯電話２とのデータの送受信を実行させる通信処理等を行う。また、制御部１５は運転診断部１５１を備える。
【００３７】
運転診断部１５１は、記憶部１３に記憶される走行履歴情報に基づいて燃費や、運転の安全度合いを数値化する運転診断を実行する。運転の安全度合いは、時間当たりにおける急ブレーキや急ハンドルの回数等から算出する。例えば、急ブレーキや急ハンドルの回数を運転時間で割った値が大きい日の運転の安全度は低くなる。運転診断の結果は、通信装置１１を介して携帯電話２に送信され、携帯電話２の備える表示部２３にて表示される。図５は、３月１日から３月５日まで、１日毎に燃費を算出した結果を表示させた具体例を示している。なお、これは一例であり、１日を最小単位として、それ以上の期間を一単位とする運転の診断が可能である。例えば、１日毎の燃費を平均することで１週間毎の燃費を算出したり、１ヶ月毎や１年毎といった燃費を算出することも可能である。
【００３８】
続いて、上述した携帯電話２における制御部２４にて実行される処理を、図６のフローチャートを参照して説明する。なお、本フローチャートに示す処理は、制御部２４に記憶されているコンピュータプログラムに従って実行される。
【００３９】
ユーザにより操作スイッチ群２２の釦スイッチが操作され、運転診断アプリケーションを開始する指示を受けると、始めに、図６におけるステップＳ６０にて、運転診断アプリケーションを開始する。
【００４０】
ステップＳ６１では、ユーザにより操作スイッチ群２２を介して、運転を診断する内容が設定される。このときユーザは、例えば、図５に示すような日毎の燃費や、一週間毎の燃費等の表示といったように、所望の運転診断内容を選択する。ステップＳ６２では、ステップＳ６１にて設定された内容の運転診断を要求する運転診断要求信号を運転診断装置１に通信装置２１を介して送信する。
【００４１】
ステップＳ６３では、運転診断結果を受信したかどうかを判定する。運転診断装置１から送信された運転診断結果を、通信装置２１を介して受信した場合は（ステップＳ６３：ＹＥＳ）、ステップＳ６４に移行する。ステップＳ６３は、運転診断結果を受信するまで自己遷移を繰り返す。
【００４２】
ステップＳ６４では、受信した運転診断結果を表示部２３にて表示させる。ステップＳ６５では、運転診断アプリケーションが終了されるか否かを判定する。ユーザが運転診断アプリケーションを終了せず、続けて他の内容の診断を続行する場合は（ステップＳ６５：ＮＯ）、ステップＳ６１に戻る。ユーザにより運転診断アプリケーションを終了される場合は（ステップＳ６５：ＹＥＳ）、制御部２４における処理を終了する。
【００４３】
続いて、上述した運転診断装置１における制御部１５にて実行される処理を、図７のフローチャートを参照して説明する。なお、本フローチャートに示す処理は、制御部１５に記憶されているコンピュータプログラムに従って実行される。
【００４４】
初めに、イグニッションスイッチがオンされ、トリップが開始されると、図７におけるステップＳ７０において、ＣＡＮ１６からＣＡＮトランシーバ１２を介してドライバの運転を診断するための情報を収集する。ステップＳ７１では、トリップが開始されてから運転中の現在までにおいて、ステップＳ７０において収集された情報を記憶する。
【００４５】
ステップＳ７２では、携帯電話２から送信された運転診断要求信号を受信して、運転診断が要求されたどうかを判定する。通信装置１１を介して運転診断要求信号を受信した場合は（ステップＳ７２：ＹＥＳ）、ステップＳ７３に移行する。運転診断要求信号を受信していない場合は（ステップＳ７２：ＮＯ）、ステップＳ７５に移行する。
【００４６】
ステップＳ７３では、ステップＳ７２にて受信した運転診断要求信号に含まれる診断内容の情報に基づいて、ドライバの運転を診断する。ステップＳ７４では、ステップＳ７３にて診断されたドライバの運転診断結果を、通信装置１１を介して携帯電話２に送信し、ステップＳ７２に戻る。
【００４７】
ステップＳ７５では、イグニッションスイッチがオフされたかどうかを判定する。イグニッションスイッチがオフされ、トリップが終了された場合は（ステップＳ７５：ＹＥＳ）、ステップＳ７６に移行する。イグニッションスイッチがオフされていない場合は（ステップＳ７５：ＮＯ）、ステップＳ７０に戻る。
【００４８】
ステップＳ７６では、ステップＳ７１にて記憶された情報を、今回のトリップデータとして確定する。トリップデータは、図２に示すように、トリップの開始日時、終了日時、及び、ＣＡＮ１６から取得した運転距離、消費燃料等を含むデータである。
【００４９】
ステップＳ７７では、今回のトリップが開始された日時と同日のデータが記憶されているかどうかを判定する。既に同日のデータが記憶されている場合は（ステップＳ７７：ＹＥＳ）、ステップＳ７８に移行し、同日のデータが記憶されていない場合は（ステップＳ７７：ＮＯ）、ステップＳ７９に移行する。
【００５０】
ステップＳ７８では、図４に示すように、既に記憶されている同日のデータに今回のトリップデータの情報を付加し、その日のデータを更新、記憶する。そして、制御部１５における処理を終了する。一方、ステップＳ７９では、今回のトリップデータを、トリップが開始された日のデータとして新たに記憶し、制御部１５における処理を終了する。
【００５１】
以上のように、本実施例によれば、日を跨いで２日に渡るようなトリップにおけるデータに対しても、トリップが開始された日に運転されたトリップとして記憶する。つまり、トリップにおけるデータ（走行履歴情報）をトリップが開始された日にすべて割り当てる。そのため、イグニッションスイッチがオンされてからオフされるまでを単位とする一連の運転期間であるトリップにおけるデータが、分断されて運転診断に利用されることはない。また、同じデータが２回以上重複されて利用されることもない。従って、信頼性の高いドライバの運転診断が可能となる。さらに、実際に車両のエンジンが動いている、イグニッションスイッチがオンされてからオフされるまでの間を運転診断の対象とすることにより、車両の運転内容を漏れなく診断することが可能になる。
【００５２】
なお、本実施例では、内燃機関を走行駆動源として用いる内燃機関車両に本発明を適用した場合を例に挙げて説明を行ったが、必ずしもこれに限らない。例えば、電動機を走行駆動源として用いる電動車両や内燃機関と電動機とを走行駆動源として用いるハイブリッド車両に本発明を適用する構成としてもよい。この場合には、運転診断装置１の運転診断部１５１は、記憶部１３に記憶される走行履歴情報に基づいて、当該電動機で用いる電力の消費効率である電費を数値化する運転診断を行う構成としてもよい。
【００５３】
また、本実施例では、車両のイグニッションスイッチがオンとなってからオフとなるまでをトリップとする構成を示したが、必ずしもこれに限らない。例えば、運転が開始されてから終了されるまでといった運転の一区切りとして、車両のイグニッションスイッチがオンとなってからオフとなるまで以外の区切りをトリップとする構成としてもよい。
【００５４】
一例として、車両がナビゲーション装置を搭載している場合には、車両がこのナビゲーション装置で設定された出発地を出発してからナビゲーション装置で設定された目的地に到着するまでをトリップとする構成としてもよい。
【００５５】
ここで言うところのナビゲーション装置とは、前述の加速度センサ、前述の角速度センサ、前述の運転距離センサ、および人工衛星からの電波に基づいて車両の現在位置を検出するＧＰＳ（Global Positioning System）のためのＧＰＳ受信機等の各種センサで得られるデータと記憶媒体に格納されている地図データとを用いて、地図上の車両の現在位置を特定する周知のナビゲーション装置であるものとする。また、ナビゲーション装置は、出発地および目的地を設定するための操作入力部を備えており、その操作入力部を操作することによって、ユーザが出発地および目的地を設定することができるものとする。なお、車両の現在位置を出発地として設定する構成としてもよい。
【００５６】
この場合、車両がナビゲーション装置で設定された出発地を出発（以下、車両出発）したこと、および車両がナビゲーション装置で設定された目的地に到着（以下、目的地到着）したことの判定は、運転診断装置１とＣＡＮ接続したナビゲーション装置から、車両出発を示す信号や目的地到着を示す信号を運転診断装置１で取得し、取得した信号をもとに運転診断部１５１で行う構成とすればよい。なお、ナビゲーション装置での車両出発や目的地到着の検出は、ナビゲーション装置で特定した車両の現在位置と地図データとをもとにして行う構成とすればよい。
【００５７】
以上の構成によれば、出発地を出発してから目的地に到着するまでをトリップとするので、目的地に到着後の状況の影響を受けずに、出発地を出発してから目的地に到着するまでの運転の診断を行うことができる。
【００５８】
なお、ナビゲーション装置からＢｌｕｅｔｏｏｔｈ通信によって携帯電話機２に車両出発を示す信号や目的地到着を示す信号を送信し、携帯電話機２から運転診断装置１に当該車両出発を示す信号や目的地到着を示す信号を送信することによって、運転診断装置１に当該車両出発を示す信号や目的地到着を示す信号を取得させる構成としてもよい。
【００５９】
また、ここでは、出発地を出発してから目的地に到着するまでをトリップとする構成を示したが、必ずしもこれに限らない。例えば、車両が運転を開始してからナビゲーション装置で設定された目的地に到着するまでをトリップとする構成としてもよい。なお、この場合、車両が運転を開始したことは、車両のイグニッションスイッチがオンとなったことをもとにして運転診断部１５１で判定する構成とすればよい。
【００６０】
さらに、一例として、車両の走行用エネルギーの補給を行ってから次に該走行用エネルギーの補給を行うまでをトリップとする構成としてもよい。なお、ここで言うところの車両の走行用エネルギーとは、内燃機関を走行駆動源として用いる内燃機関車両の場合には、内燃機関に用いるガソリン等の燃料である。また、電動機を走行駆動源として用いる電動車両の場合には、電動機に電力を供給する走行用バッテリに充電する電力である。さらに、内燃機関と電動機とを走行駆動源として用いるハイブリッド車両の場合には、上記燃料と上記電力との両方となることもある。
【００６１】
燃料の補給を行ったことの判定は、例えば、車両に設けられている燃料残量センサをもとに、残量が計測誤差の範囲を越えて増加したことを検知したことをもって運転診断装置１で行う構成とすればよい。さらに、走行用バッテリに充電を行ったことの判定は、走行用バッテリのＳＯＣ（state of charge）をモニタする車両に設けられた充電監視ユニットでモニタしたＳＯＣをもとに、走行用バッテリの残蓄電量が例えば走行中に行われる充電の割合を越えて増加したことを検知したことをもって運転診断部１５１で行う構成とすればよい。
【００６２】
さらに、ユーザが運転の診断に用いるトリップの区切りを、前述したような複数の種類の区切りの中から選択できるようにすることが好ましい。
【００６３】
この場合、車両がナビゲーション装置で設定された出発地を出発してからナビゲーション装置で設定された目的地に到着するまでをトリップとする第１トリップ、車両のイグニッションスイッチがオンとなってからオフとなるまでをトリップとする第２トリップ、及び車両の走行用エネルギーの補給を行ってから次に該走行用エネルギーの補給を行うまでをトリップとする第３トリップのうちのいずれかの種類のトリップを選択するユーザからの入力を操作スイッチ群２２に行うことができるようにすればよい。
【００６４】
そして、操作スイッチ群２２に行われた第１トリップ、第２トリップ、および第３トリップのうちのいずれかの種類のトリップを選択するユーザからの入力を通信装置１１で受け付け、通信装置１１で受け付けた入力に応じた種類のトリップにおけるデータ（走行履歴情報）を記憶部１３に記憶する構成とすればよい。よって、通信装置１１が請求項のトリップ種類選択受け付け手段に相当する。
【００６５】
また、この場合、複数種類のトリップのそれぞれのデータを記憶部１３に記憶し、複数種類のトリップについての運転の診断にそれぞれ対応できるようにする構成としてもよい。
【００６６】
これによれば、運転の診断を行うトリップの区切りをユーザが選択する幅を与えることができるので、トリップの区切りについてのユーザの幅のある要求に応えることができ、運転診断装置１の利便性が向上する。
【００６７】
なお、ここでは、操作スイッチ群２２に行われた第１トリップ、第２トリップ、第３トリップのうちのいずれかの種類のトリップを選択するユーザからの入力を通信装置１１で受け付ける構成を示したが、必ずしもこれに限らない。例えば、運転診断装置１に設けられた図示しない操作入力部で直接に第１トリップ、第２トリップ、および第３トリップのうちのいずれかの種類のトリップを選択するユーザからの入力を受け付ける構成としてもよい。
【００６８】
さらに、診断を行う期間（診断期間）の単位を、前述したような複数種類の単位（１日、１週間、１ヶ月、及び１年）の中から選択できるようにすることが好ましい。
【００６９】
この場合、１日、１週間、１ヶ月、及び１年のうちから、ユーザが所望する単位を選択する入力を操作スイッチ群２２に行うことができるようにすればよい。そして、操作スイッチ群２２に行われた１日、１週間、１ヶ月、及び１年のうちのいずれかの単位を選択するユーザからの入力を通信装置１１で受け付け、通信装置１１で受け付けた入力に応じて、診断期間として１日、１週間、１ヶ月、及び１年のうちのいずれかを運転診断部１５１で設定する構成とすればよい。よって、通信装置１１が請求項の所定期間単位選択受け付け手段に相当する。
【００７０】
これによれば、ユーザが所望する時間の単位で所定期間を設定することが可能になる。従って、ユーザが所望する時間の単位ごとに得られる運転の診断結果をもとに、今日は昨日よりも良い結果を出そう、今月は先月よりも良い結果を出そうといった、ユーザが所望する時間の単位ごとの診断結果の向上を図ることが可能になる。
【００７１】
なお、ここでは、操作スイッチ群２２に行われた１日、１週間、１ヶ月、及び１年のうちのいずれかの単位を選択するユーザからの入力を通信装置１１で受け付ける構成を示したが、必ずしもこれに限らない。例えば、運転診断装置１に設けられた図示しない操作入力部で直接に１日、１週間、１ヶ月、及び１年のうちのいずれかの単位を選択するユーザからの入力を受け付ける構成としてもよい。
【００７２】
ここで、ユーザが運転の診断に用いるトリップの区切りを前述したような複数の種類の区切りの中から選択できるとともに、診断期間の単位を前述したような複数種類の単位の中から選択できるようにした場合における、前述のステップＳ６１での運転診断内容の設定の処理について図９を用いて説明を行う。なお、図９は、運転診断内容の設定の処理のフローの一例を示すフローチャートである。
【００７３】
ステップＳ６１１では、診断期間の設定が行われ、ステップＳ６１２に移る。診断期間の設定では、ユーザにより操作スイッチ群２２を介して、１日、１週間、１ヶ月、及び１年のうちのいずれかの単位を選択する入力が行われ、選択された単位が診断期間として設定される。
【００７４】
ステップＳ６１２では、トリップ種類の設定が行われ、ステップＳ６１３に移る。トリップ種類の設定では、ユーザにより操作スイッチ群２２を介して、第１トリップ、第２トリップ、および第３トリップのうちのいずれかの種類のトリップを選択する入力が行われ、選択された種類のトリップが設定される。
【００７５】
ステップＳ６１３では、運転診断内容の設定が行われ、ステップＳ６２に移る。運転診断内容の設定では、ユーザにより操作スイッチ群２２を介して、図５に示すような日毎の燃費や、一週間毎の燃費等の表示といったように、所望の運転診断内容を選択する入力が行われ、選択された運転診断内容が設定される。
【００７６】
また、この場合、ステップＳ６２では、ステップＳ６１３にて設定された内容の運転診断を要求する運転診断要求信号を運転診断装置１に通信装置２１を介して送信するとともに、ステップＳ６１１にて設定された診断期間の情報およびステップＳ６１２にて設定されたトリップ種類の情報も運転診断装置１に通信装置２１を介して送信することになる。
【００７７】
なお、トリップの種類によって、診断期間として用いるのに好ましい単位が異なるため、ステップＳ６１１で設定した診断期間に応じて、ステップＳ６１２で選択できるトリップの種類が決定される構成としてもよい。一例としては、第１トリップおよび第２トリップは、１日〜１年のすべての単位に適合するので、ステップＳ６１１で１日〜１年のどの単位が診断期間として設定された場合であっても、ステップＳ６１２で選択可能とする。
【００７８】
一方、第３トリップは、例えば燃料の給油の場合には、１日という診断期間の単位に適合しないので、ステップＳ６１１で１日が診断期間の単位として設定された場合に、ステップＳ６１２で第３トリップを選択できなくする構成としてもよい。なお、例えば走行用バッテリの充電の場合には、第３トリップが１日〜１年のすべての単位に適合する場合があるので、１日〜１年のどの単位が診断期間として設定された場合であっても、ステップＳ６１２で第３トリップを選択可能とする構成としてもよい。
【００７９】
また、ここでは、診断期間の設定が行われた後に、トリップの種類の設定が行われる構成を示したが、必ずしもこれに限らない。例えば、トリップの種類の設定が行われた後に、診断期間の設定が行われる構成としてもよい。この場合、先に設定が行われたトリップの種類に応じた診断期間のみを選択可能とし、その選択可能な診断期間の中から選択される診断期間の設定が行われる構成としてもよい。
【００８０】
一例としては、第１トリップおよび第２トリップは、１日〜１年のすべての単位に適合するので、先に第１トリップおよび第２トリップがトリップの種類として設定された場合には、１日〜１年のどの単位も診断期間として選択可能とする。
【００８１】
一方、第３トリップは、例えば燃料の給油の場合には、１日という診断期間の単位に適合しないので、先に第３トリップがトリップの種類として設定された場合には、１日を診断期間の単位として選択できないようにする構成としてもよい。なお、例えば走行用バッテリの充電の場合には、第３トリップが１日〜１年のすべての単位に適合する場合があるので、先に第３トリップがトリップの種類として設定された場合に、１日〜１年のどの単位も診断期間として選択可能とする構成としてもよい。
【００８２】
（変形例１）
次に、本実施例における変形例１を説明する。図７におけるステップＳ７７−Ｓ７９に代えて、本変形例では、トリップの開始日とトリップの終了日が異なる場合、トリップの開始日における運転時間が、トリップの終了日における運転時間よりも長い場合には、そのトリップデータを開始日のデータとして記憶する。一方、トリップの開始日における運転時間が、トリップの終了日における運転時間よりも短い場合には、そのトリップデータを終了日のデータとして記憶する。例えば、図８に示すように、トリップ４における運転時間は、３月３日から３月４日に跨いで継続している。この場合、上述の本実施例においては、トリップ４が３月３日から開始されるので、トリップ４のトリップデータは３月３日のデータとして記憶される。ところが、本変形例では、トリップ４は、３月３日よりも３月４日における運転時間が長いために、３月４日のデータとして記憶される。これにより、より実情に応じた運転診断が可能となる。
【００８３】
（変形例２）
一方、本実施例における変形例２では、図７における本実施例のステップＳ７７−Ｓ７９に代えて、トリップの開始日とトリップの終了日が異なる場合、トリップの開始日の間に走行した運転距離が、トリップの終了日の間に走行した運転距離よりも長い場合には、そのトリップデータを開始日のデータとして記憶する。一方、トリップの開始日の間に走行した運転距離が、トリップの終了日の間に走行した運転距離よりも短い場合には、そのトリップデータを終了日のデータとして記憶する。これにより、より実情に応じた運転診断が可能となる。
【００８４】
（変形例３）
また、本実施例における変形例３を説明する。上述の本実施例においては、運転が開始され終了された際に、そのトリップにおいて得られたトリップデータを運転が開始された日のデータとして記憶する。本変形例においては、日毎にデータを記憶するのではなく、トリップ毎のトリップデータを個別に記憶する。トリップデータは、開始日時及び終了日時を併せて記憶される。運転診断は、記憶されているトリップデータの内、ユーザにより指定された所定期間内に運転が開始されたトリップに該当するトリップデータに基づいて実行される。これによれば、所定期間は予め自機において設定されることなく、ユーザは所定期間を任意に設定することが可能となる。
【符号の説明】
【００８５】
１  運転診断装置
１１  通信装置
１２  記憶部
１３  ＣＡＮトランシーバ
１５  制御部
１５１  運転診断部
１６  ＣＡＮ
２  携帯電話
２１  通信装置
２３  表示部
２４  制御部
【図１】
2011008769.tif 000003
【図２】
2011008769.tif 000004
【図３】
2011008769.tif 000005
【図４】
2011008769.tif 000006
【図５】
2011008769.tif 000007
【図６】
2011008769.tif 000008
【図７】
2011008769.tif 000009
【図８】
2011008769.tif 000010
【図９】
2011008769.tif 000011